(57)【特許請求の範囲】
【請求項１】
画像を表示する表示手段と、通信ネットワークを介して通信する通信手段とを備え、画像及び音の少なくとも一方を含むコンテンツを再生して出力可能な移動体通信端末であって、
上記表示手段に表示可能な複数種類のユーザインターフェース画面を構成するための画面構成ファイルを記憶する記憶手段と、
上記記憶手段に記憶されている複数種類のユーザインターフェース画面の画面構成ファイルから、再生対象のコンテンツに対応付けられたユーザインターフェース画面の画面構成ファイルを選択し、その選択された画面構成ファイルを用いて、上記再生対象のコンテンツの再生時に用いるユーザインターフェース画面を上記表示手段に表示する表示制御手段と、を備えたことを特徴とする移動体通信端末。
【請求項２】
画像を表示する表示手段と、通信ネットワークを介して通信する通信手段とを備え、画像及び音の少なくとも一方を含むコンテンツを再生して出力可能な移動体通信端末であって、
再生対象のコンテンツとともに、その再生対象のコンテンツに対応付けられたユーザインターフェース画面を構成するための画面構成ファイルを、通信ネットワーク上のサーバから受信する手段と、
上記受信した画面構成ファイルを用いて、上記再生対象のコンテンツの再生時に用いるユーザインターフェース画面を上記表示手段に表示する表示制御手段と、を備えたことを特徴とする移動体通信端末。
【請求項３】
請求項１に記載の移動体通信端末において、
上記再生対象のコンテンツとともに、その再生対象のコンテンツに対応付けられたユーザインターフェース画面の画面構成ファイルを指定する指定情報を、通信ネットワーク上のサーバから受信する手段を備え、
上記表示制御手段は、上記指定情報に基づいて上記記憶手段から選択した画面構成ファイルを用いて、上記再生対象のコンテンツの再生時に用いるユーザインターフェース画面を表示することを特徴とする移動体通信端末。
【請求項４】
請求項１から請求項３のいずれかに記載の移動体通信端末において、
上記画面構成ファイルは、上記ユーザインターフェース画面における操作パネル、イコライザー及び背景画像の少なくとも一つの構成を規定する情報を含むことを特徴とする移動体通信端末。
【請求項５】
請求項１から請求項４のいずれかに記載の移動体通信端末において、
上記表示制御手段は、上記移動体通信端末のプラットフォーム上で実行されるコンテンツ再生用のホストアプリケーションから拡張アプリケーションプログラムインターフェース（拡張ＡＰＩ）を介して、上記画面構成ファイルと、上記ユーザインターフェース画面に組み込まれるデータとを用いることにより、ユーザインターフェース画面を表示することを特徴とする移動体通信端末。
【請求項６】
画像及び音の少なくとも一方を含むコンテンツを再生可能な移動体通信端末と通信ネットワークを介して通信可能なサーバであって、
移動体通信端末に表示可能な複数種類のユーザインターフェース画面を構成するための画面構成ファイルと移動体通信端末で再生可能なコンテンツとを記憶する記憶手段と、
再生対象のコンテンツを要求する取得要求を移動体通信端末から受信する受信手段と、
上記取得要求に基づいて、上記再生対象のコンテンツとともに、その再生対象のコンテンツに対応するユーザインターフェース画面の画面構成ファイルを、上記移動体通信端末に送信する送信手段とを備えたことを特徴とするサーバ。
【請求項７】
画像及び音の少なくとも一方を含むコンテンツを再生可能な移動体通信端末と通信ネットワークを介して通信可能なサーバであって、
移動体通信端末に表示可能な複数種類のユーザインターフェース画面を構成する画面構成ファイルの指定情報と移動体通信端末で再生可能なコンテンツとを記憶する記憶手段と、
再生対象のコンテンツを要求する取得要求を移動体通信端末から受信する受信手段と、
上記取得要求に基づいて、上記再生対象のコンテンツとともに、その再生対象のコンテンツに対応する指定情報を、上記移動体通信端末に送信する送信手段とを備えたことを特徴とするサーバ。
【発明の詳細な説明】
【技術分野】
【０００１】
本発明は、画像及び音の少なくとも一方を含むコンテンツを再生して出力可能な携帯電話機等の移動体通信端末、及び移動体通信端末と通信可能なサーバに関するものである。
【背景技術】
【０００２】
従来、この種の携帯電話機などの移動体通信端末として、所定のプレーヤアプリケーションを起動し、映像や音楽等のコンテンツを再生して出力することができるものが知られている。この移動体通信端末では、ディスプレイにユーザインターフェース画面を表示することにより、再生対象のコンテンツを指定したり、再生中の音質などの再生条件を調整したりすることができる。
【発明の開示】
【発明が解決しようとする課題】
【０００３】
しかしながら、上記従来の移動体通信端末では、上記プレーヤアプリケーション及びそのアプリケーションで使用するユーザインターフェース画面のデータが端末内に予め組み込まれている。そのため、上記ユーザインターフェース画面を利用者の好みに応じて変更することができなかった。
【０００４】
本発明は以上の問題点に鑑みなされたものであり、その目的は、コンテンツの再生の際に表示されるユーザインターフェース画面を変更することができる移動体通信端末及びサーバを提供することである。
【課題を解決するための手段】
【０００５】
上記目的を達成するために、請求項１の発明は、画像を表示する表示手段と、通信ネットワークを介して通信する通信手段とを備え、画像及び音の少なくとも一方を含むコンテンツを再生して出力可能な移動体通信端末であって、上記表示手段に表示可能な複数種類のユーザインターフェース画面を構成するための画面構成ファイルを記憶する記憶手段と、上記記憶手段に記憶されている複数種類のユーザインターフェース画面の画面構成ファイルから、再生対象のコンテンツに対応付けられたユーザインターフェース画面の画面構成ファイルを選択し、その選択された画面構成ファイルを用いて、上記再生対象のコンテンツの再生時に用いるユーザインターフェース画面を上記表示手段に表示する表示制御手段と、を備えたことを特徴とする移動体通信端末。
また、請求項２の発明は、画像を表示する表示手段と、通信ネットワークを介して通信する通信手段とを備え、画像及び音の少なくとも一方を含むコンテンツを再生して出力可能な移動体通信端末であって、再生対象のコンテンツとともに、その再生対象のコンテンツに対応付けられたユーザインターフェース画面を構成するための画面構成ファイルを、通信ネットワーク上のサーバから受信する手段と、上記受信した画面構成ファイルを用いて、上記再生対象のコンテンツの再生時に用いるユーザインターフェース画面を上記表示手段に表示する表示制御手段と、を備えたことを特徴とするものである。
また、請求項３の発明は、請求項１に記載の移動体通信端末において、上記再生対象のコンテンツとともに、その再生対象のコンテンツに対応付けられたユーザインターフェース画面の画面構成ファイルを指定する指定情報を、通信ネットワーク上のサーバから受信する手段を備え、上記表示制御手段は、上記指定情報に基づいて上記記憶手段から選択した画面構成ファイルを用いて、上記再生対象のコンテンツの再生時に用いるユーザインターフェース画面を表示することを特徴とするものである。
また、請求項４の発明は、請求項１から請求項３のいずれかに記載の移動体通信端末において、上記画面構成ファイルは、上記ユーザインターフェース画面における操作パネル、イコライザー及び背景画像の少なくとも一つの構成を規定する情報を含むことを特徴とするものである。
また、請求項５の発明は、請求項１から請求項４のいずれかに記載の移動体通信端末において、上記表示制御手段は、上記移動体通信端末のプラットフォーム上で実行されるコンテンツ再生用のホストアプリケーションから拡張アプリケーションプログラムインターフェース（拡張ＡＰＩ）を介して、上記画面構成ファイルと、上記ユーザインターフェース画面に組み込まれるデータとを用いることにより、上記ユーザインターフェース画面を表示するものである。
【０００６】
また、請求項６の発明は、画像及び音の少なくとも一方を含むコンテンツを再生可能な移動体通信端末と通信ネットワークを介して通信可能なサーバであって、移動体通信端末に表示可能な複数種類のユーザインターフェース画面を構成するための画面構成ファイルと移動体通信端末で再生可能なコンテンツとを記憶する記憶手段と、再生対象のコンテンツを要求する取得要求を移動体通信端末から受信する受信手段と、上記取得要求に基づいて、上記再生対象のコンテンツとともに、その再生対象のコンテンツに対応するユーザインターフェース画面の画面構成ファイルを、上記移動体通信端末に送信する送信手段とを備えたことを特徴とするものである。
また、請求項７の発明は、画像及び音の少なくとも一方を含むコンテンツを再生可能な移動体通信端末と通信ネットワークを介して通信可能なサーバであって、移動体通信端末に表示可能な複数種類のユーザインターフェース画面を構成する画面構成ファイルの指定情報と移動体通信端末で再生可能なコンテンツとを記憶する記憶手段と、再生対象のコンテンツを要求する取得要求を移動体通信端末から受信する受信手段と、上記取得要求に基づいて、上記再生対象のコンテンツとともに、その再生対象のコンテンツに対応する指定情報を、上記移動体通信端末に送信する送信手段とを備えたことを特徴とするものである。
【発明の効果】
【０００９】
本発明によれば、複数種類のユーザインターフェース画面の画面構成ファイルから、再生対象のコンテンツに対応付けられたユーザインターフェース画面の画面構成ファイルを選択し、その選択された画面構成ファイルを用いて、再生対象のコンテンツの再生時に用いるユーザインターフェース画面を上記表示手段に表示することにより、コンテンツの再生の際に表示されるユーザインターフェース画面を、その再生対象のコンテンツに応じて変更することができるという効果がある。
【発明を実施するための最良の形態】
【００１０】
以下、図面を参照して本発明の実施の形態について説明する。なお、本実施形態では、移動体通信端末が携帯電話機であり、その携帯電話機のユーザインターフェース画面を構成する汎用のファイルがＦｌａｓｈ（登録商標）のコンテンツである場合について説明するが、移動体通信端末の種類や汎用の画面構成ファイルの種類はこれらに限定されるものではない。
【００１１】
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、図示しないゲートウェイサーバを介してインターネット３０等の他の通信ネットワークに接続されている。また、携帯電話通信網２０及びインターネット３０には、携帯電話機で再生して出力可能な音楽及び映像等のマルチメディアコンテンツや携帯電話機の画面を構成するための画面構成ファイルのコンテンツ（以下、「スキンコンテンツ」という。）等の各種コンテンツを携帯電話機１０に提供するサーバ４０，４１が接続されている。これらのサーバから携帯電話機１０にコンテンツをダウンロードするときには、ネットワークの各階層において所定の通信プロトコルが用いられる。例えば、ＷＥＢサーバからＷＥＢページをダウンロードするときのアプリケーション層の通信プロトコルとしては、ＨＴＴＰ（HyperText Transfer Protocol）が用いられる。
【００１２】
図２は、上記サーバ４０、４１のハードウェア構成の一例を示すブロック図である。このサーバ４０は、システムバス４００、ＣＰＵ４０１、内部記憶装置、外部記憶装置４０４、入力装置４０５、出力装置４０６、及びインターネット用通信装置４０７を備えている。上記内部記憶装置は、ＲＡＭ４０２やＲＯＭ４０３等で構成されている。上記外部記憶装置は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１３】
上記ＣＰＵ４０１やＲＡＭ４０２等の構成要素はお互いに、システムバス４００を介して、データやプログラムの命令等のやり取りを行っている。このサーバ４０を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１４】
また、上記サーバ４０、４１はそれぞれ一部又は全体を専用の制御装置として構成してもいいし、一部又は全体を汎用のコンピュータシステムを用いて構成してもよい。また、サーバ４０、４１はそれぞれ、１台のコンピュータで構成してもいいし、複数の機能をそれぞれ受け持つ複数台のコンピュータをネットワークで結んで構成してもよい。
【００１５】
図３は、本実施形態に係るサーバ４０の主要な機能を抽出して示した機能ブロック図である。インターネット３０に接続されたサーバ４１の主要な機能は、図３のサーバ４０と同様であるので、サーバ４１の機能の説明は省略する。サーバ４０は、記憶手段４１０と受信手段４１１と送信手段４１２とを備えている。このサーバ４０は、ＣＰＵ等からなるハードウェア上で所定のプログラムを実行することにより、上記各手段の機能を実現している。
【００１６】
上記記憶手段４１０は、上記内部記憶装置や外部記憶装置で構成され、携帯電話機１０におけるコンテンツ再生の際に携帯電話機１０に表示されるユーザインターフェース画面を構成する複数種類の画面構成ファイルとしてのスキンコンテンツのデータを記憶している。このスキンコンテンツは、複数種類の携帯電話機で共通に用いることができる、Ｆｌａｓｈプレーヤで用いられるファイルで構成される。このスキンコンテンツは、複数の画像ファイルからなるファイル群で構成してもよい。携帯電話機１０で起動されるＦｌａｓｈプレーヤは、上記スキンコンテンツを用いて、マルチメディアコンテンツの再生用ソフトウェア（以下、「メディアプレーヤ」という。）のユーザインターフェース画面を構成して表示する。このユーザインターフェース画面の表示に使用される表示用ソフトウェアがＦｌａｓｈプレーヤが用いられる場合は、上記スキンコンテンツとして、例えばＳＷＦ（Small Web Format）ファイルやＪＰＥＧファイルが用いられる。
【００１７】
上記受信手段４１１は、上記ＣＰＵ４０１や通信装置４０７等で構成され、上記記憶手段４１０に記憶されている複数種類のスキンコンテンツのいずれか一つを要求する取得要求を携帯電話機１０から受信する。上記送信手段４１２は、上記ＣＰＵ４０１や通信装置４０７等で構成され、上記取得要求に基づいて選択されたスキンコンテンツを移動体通信端末１０に送信する。
【００１８】
図４は、サーバ４０の他の構成例を示す機能ブロック図である。このサーバ４０の記憶手段４１０は、上記スキンコンテンツのほか、携帯電話機１０で再生可能な画像、音又はそれらの組合せからなる再生対象のマルチメディアコンテンツ（以下、「メディアコンテンツ」という。）を記憶している。受信手段４１１は、記憶手段４１０に記憶されているメディアコンテンツを要求する取得要求を携帯電話機１０から受信する。そして、送信手段４１２は、上記取得要求に基づいて選択されたメディアコンテンツと、そのメディアコンテンツの再生時のユーザインターフェース画面を構成するためのスキンコンテンツとを、携帯電話機１０に送信する。
【００１９】
図５は携帯電話機１０の一構成例を示す外観図であり、図６は、その携帯電話機１０のハードウェア構成の一例を示す概略構成図である。携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００２０】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、Ｆｌａｓｈプレーヤを組み込んだメディアプレーヤ、ＷＥＢブラウザ、メーラー、外部装置とのデータ送受信、アドレス帳管理、スケジューラ、メモ帳等がある。
【００２１】
また、上記ＣＰＵ１０１は、上記記憶装置から所定のプログラムを読み込んで実行することにより、ネイティブ側の電話機プラットフォーム１５１上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。このアプリケーションとして、メディアコンテンツを再生して出力するメディアプレーヤのアプリケーションを実行することができる。
【００２２】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記サーバ４０，４１からメディアコンテンツ、スキンコンテンツ、アプリケーションプログラム等のコンテンツをダウンロードして登録することができる。また、利用者は上記操作部を操作することにより、好みのスキンコンテンツを指定し、メディアプレーヤを起動したときのユーザインターフェース画面をディスプレイに表示することができる。そして、このユーザインターフェース画面を表示した状態で上記操作部を操作することにより、利用者が指定したメディアコンテンツを再生することができる。
【００２３】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷｅｂページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２４】
上記携帯電話通信網用通信装置１０６は、変復調器、シンセサイザ、周波数変換器，高周波増幅器などにより構成され、携帯電話通信網２０を介して他の携帯電話機や上記サーバ４０，４１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網１０を介して、サーバ４０，４１が提供する各種コンテンツをダウンロードしたり、現在位置の位置情報を含む配信情報を受信したりする情報受信手段としても用いられる。
【００２５】
図７は、本実施形態に係る携帯電話機１０でメディアプレーヤのアプリケーションを実行するためのソフトウェア階層構造を示している。メディアプレーヤのホストアプリケーション１５０を実行するためのアプリケーション実行手段としての実行環境は、ドライバー層の各種ドライバー１５１と通信可能な携帯電話機プラットフォーム１５２上に構築されている。Ｆｌａｓｈによるユーザインターフェース１５３の画面は、Ｆｌａｓｈプレーヤが組み込まれたホストアプリケーション１５０がＦｌａｓｈアプリケーションライブラリ１５４やメディアプレーヤ用拡張ＡＰＩ（Application Program Interface）１５５を介して前述のスキンコンテンツのデータを用いることにより、ディスプレイ１７に表示される。
【００２６】
上記メディアプレーヤにおける「スキン」は、プレーヤーウィンドウであるユーザインターフェース画面の外見に関する情報を含むＳＷＦファイル、ＪＰＥＧファイル等のファイル群である。この「スキン」は複数のファイルで構成され、スキンの機能を定義するファイルや画像ファイルが含まれている。メディアプレーヤにおける「スキン」は、操作パネル、イコライザー、背景画像等で表現される、この「スキン」を変更することにより、例えば図８（ａ）及び（ｂ）に示すようにユーザオリジナルのメディアプレーヤのユーザインターフェース画面を表現することができる。
【００２７】
上記ホストアプリケーション１５０は、論理的には大きく２つに区分されている。その一つは、上記スキン、設定情報、ブックマーク、履歴、プレイリストの管理を担うものである。他の一つは、記憶領域に保存されるメディアコンテンツ（メディアファイル）へのアクセス、オーディオ出力部やビデオ出力部の制御を担うものである。このホストアプリケーション１５０による機能としては、ファイル制御、ボリューム制御、プロパティ情報通知、バックグラウンド再生，他のアプリケーション起動、ポップアップ通知、ＷＥＢ要約情報であるＲＳＳ（RDF Site Summary）フィードの管理及び通知、Pause & Resume制御、再生状態通知、プレイリスト管理、プレイリスト通知、プレイリスト再生、バックグラウンド再生、ストリーミング等が挙げられる。
【００２８】
上記メディアプレーヤ用拡張ＡＰＩ１５５による機能としては、次の（１）〜（４）等に示す機能が挙げられる。
（１）プレイリスト取得、プレイリストの中身の取得、フォルダの内容の取得、履歴の取得、サブフォルダの取得、プレイリスト作成、プレイリスト削除、プレイリストの名前変更、プレイリスト再生、ファイルプレイリスト追加、ファイルプレイリスト解除、プレイリストファイルソート、ファイル削除、ファイル情報編集、ファイルプロパティ取得、ファイル移動、ファイルコピー、プレイリスト移動、プレイリストコピー、ファイル検索、ＲＯ取得
（２）メール添付、ファイル着信音・アラーム登録、ビデオ表示領域設定、ビデオ表示領域変更、ビデオ表示領域取得、ＲＳＳデータ取得、ＲＳＳデータ登録
（３）音声着信優先項目設定、パネル照明設定、スキン設定、再生パターン設定、サウンドエフェクト設定、サムネイル表示
（４）表示画面サイズ指定、ビデオエフェクト設定、ＵＲＩ情報表示設定、ファイル情報表示設定
【００２９】
上記ドライバー層１５１による機能としては、ＴＣＰ（ＵＤＰ）／ＩＰプロトコルスタック層、メディアファイル、各種設定情報等の記憶領域を確保して管理する機能や、ＣＯＤＥＣ（再生装置）としての機能等が挙げられる。このドライバー層１５１は、ホストアプリケーション１５０の下位に位置付けられるプラットフォーム１５２で主に制御される。
【００３０】
上記Ｆｌａｓｈのユーザインターフェース１５３とホストアプリケーションとの間は、メディアプレーヤ用拡張ＡＰＩ１５５で定義されるメソッド、その他Ｆｌａｓｈ標準ＡＰＩで定義されるメソッドを用いて、データやコマンドのやり取りが行われる。
【００３１】
図９は、本実施形態に係る携帯電話機１０の主要な機能を抽出して示した機能ブロック図である。この携帯電話機１０は、通信手段１１０と表示手段１１１と記憶手段１１２と表示制御手段１１３とを有する。
【００３２】
上記通信手段１１０は上記通信装置１０６等で構成され、ＨＴＴＰ等の所定の通信プロトコルを用いて携帯電話通信網２０を介した通信を行う。この通信手段１１０は、上記メディアプレーヤのユーザインターフェース画面を構成するスキンコンテンツや、メディアプレーヤで再生する音楽や映像のメディアコンテンツを、上記サーバ４０、４１から取得するコンテンツ取得手段として用いられる。
【００３３】
上記表示手段１１１は上記ディスプレイ等で構成され、上記メディアプレーヤを起動したときに図８（ａ）及び（ｂ）に示すようなユーザインターフェース画面が表示される。
【００３４】
上記記憶手段１１２は上記ＲＡＭ１０２やＲＯＭ１０３等の記憶装置により構成され、上記スキンコンテンツ及びメディアコンテンツの電子データを記憶する。これらのコンテンツは、携帯電話機１０に予め組み込まれているものであってもいいし、利用者がサーバ４０，４１等からダウンロードしたものであってもよい。
【００３５】
上記表示制御手段１１３は上記ＣＰＵ１０１等で構成され、表示用ソフトウェアとしてのＦｌａｓｈプレーヤを起動し、前述のＦｌａｓｈスキンコンテンツを用いて、メディアプレーヤのユーザインターフェース画面を表示手段１１１に表示するように制御する。
【００３６】
図１０は、上記構成の携帯電話機１０においてメディアプレーヤのユーザインターフェース画面を変更してメディアコンテンツを再生するときのフローチャートである。まず、利用者は、携帯電話機１０を操作してメディアプレーヤのアプリケーションを起動する（Ｓ１）。次に、利用者がメニューから「スキン変更」を選択する（Ｓ２）と、既に登録されている複数のスキンを一覧することができるスキン選択サブメニュー画面が表示される（Ｓ３）。このスキン選択サブメニュー画面で利用者が表示したいスキンを選択する（Ｓ４）と、そのスキンコンテンツのデータがメモリから読み出される（Ｓ５）。そして、Ｆｌａｓｈプレーヤにより、上記スキンコンテンツのデータに基づき、利用者の選択したスキンに対応する操作パネル、イコライザー及び背景画像からなるユーザインターフェース画面が表示される（Ｓ６）。このユーザインターフェース画面に表示される「プレイリスト」から利用者が再生対象のメディアコンテンツを選択して「プレイ」操作を行う（Ｓ７）と、その選択されたメディアコンテンツの再生・出力が開始される（Ｓ８）。
【００３７】
図１１は、携帯電話機１０からサーバ４０にアクセスしてメディアプレーヤのユーザインターフェース画面を変更するときのシーケンス図である。まず、利用者は、携帯電話機１０を操作してメディアプレーヤのアプリケーションを起動する（Ｓ１）。次に、利用者がメニューからスキン変更のための「サーバアクセス」を選択する（Ｓ２）と、携帯電話機１０は、サーバに登録されているスキンの一覧を要求するスキン一覧要求をサーバ４０に送信する（Ｓ３）。サーバ４０は、携帯電話機１０から受信したスキン一覧要求に応じて、データベースに登録されているスキンを一覧表示するためのスキン一覧データを携帯電話機１０に送信する（Ｓ４）。携帯電話機１０では、サーバ４０から受信したスキン一覧データに基づいて、ダウンロード可能なスキンのタイトル等が記載されたスキン一覧が表示される（Ｓ５）。このスキン一覧が表示された携帯電話機１０を操作することにより、利用者が好みのスキンを選択する（Ｓ６）と、携帯電話機１０は、その選択したスキンコンテンツを要求する取得要求をサーバ４０に送信する（Ｓ７）。サーバ４０は、携帯電話機１０から受信したスキンコンテンツの取得要求に応じて、データベースを検索し（Ｓ８）、利用者が指定したスキンコンテンツのデータを取り出して携帯電話機１０に送信する（Ｓ９）。携帯電話機１０では、サーバ４０から受信したスキンコンテンツのデータを所定のメモリに保存し（Ｓ１０）、そのスキンデータに基づいて、利用者の選択したスキンに対応する操作パネル、イコライザー及び背景画像からなるユーザインターフェース画面が表示される（Ｓ１１）。このユーザインターフェース画面に表示される「プレイリスト」から利用者が再生対象のメディアコンテンツを選択して「プレイ」操作を行うと、その選択されたメディアコンテンツの再生・出力が開始される（Ｓ１２）。
【００３８】
なお、上記図１１において、スキン一覧のデータ及びスキンコンテンツのデータはそれぞれ別々のサーバからダウンロードするようにしてもよい。
【００３９】
図１２は、携帯電話機１０からサーバ４０にアクセスしてメディアプレーヤで再生するメディアコンテンツをダウンロードするときのシーケンス図である。まず、利用者は、携帯電話機１０を操作してメディアプレーヤのアプリケーションを起動する（Ｓ１）。次に、利用者がメニューから再生対象のメディアコンテンツをダウンロードするための「サーバアクセス」を選択する（Ｓ２）と、携帯電話機１０は、サーバに登録されているメディアコンテンツの一覧を要求するメディアコンテンツ一覧要求をサーバ４０に送信する（Ｓ３）。サーバ４０は、携帯電話機１０から受信した一覧要求に応じて、データベースに登録されているメディアコンテンツを一覧表示するためのメディアコンテンツ一覧データを携帯電話機１０に送信する（Ｓ４）。携帯電話機１０では、サーバ４０から受信したメディアコンテンツ一覧データに基づいて、ダウンロード可能なメディアコンテンツのタイトル等が記載されたメディアコンテンツ一覧が表示される（Ｓ５）。このメディアコンテンツ一覧が表示された携帯電話機１０を操作することにより、利用者がダウンロード対象のメディアコンテンツを選択する（Ｓ６）と、携帯電話機１０は、その選択したメディアコンテンツを要求する取得要求をサーバ４０に送信する（Ｓ７）。サーバ４０は、携帯電話機１０から受信したメディアコンテンツの取得要求に応じて、データベースを検索し（Ｓ８）、利用者が指定したメディアコンテンツのデータと、そのメディアコンテンツに関連付けて予め登録されているスキンコンテンツのデータとを取り出し、携帯電話機１０に送信する（Ｓ９）。携帯電話機１０では、サーバ４０から受信したメディアコンテンツ及びスキンコンテンツのデータを所定のメモリに保存する（Ｓ１０）。そして、スキンデータに基づいて、利用者の選択したメディアコンテンツに適したスキンに対応する操作パネル、イコライザー及び背景画像からなるユーザインターフェース画面が表示される（Ｓ１１）。このユーザインターフェース画面が表示された状態で、利用者が選択した再生対象のメディアコンテンツの再生・出力が開始される（Ｓ１２）。以上のように、互いに関連付けられたメディアコンテンツ及びスキンコンテンツのデータをダウンロードすることにより、再生対象のメディアコンテンツを、それに適したスキンで再生して出力することができる。また、メディアコンテンツの提供者側が、携帯電話機１０に表示させたいユーザインターフェース画面を指定したり、そのユーザインターフェース画面に希望の情報を表示させたりすることができる。例えば、メディアコンテンツの提供者が音楽やビデオの内容に応じたユーザインターフェースを提供することができる。
【００４０】
なお、上記図１２において、メディアコンテンツ一覧のデータ及びメディアコンテンツのデータはそれぞれ別々のサーバからダウンロードするようにしてもよい。
【００４１】
また、図１２において、各種スキンコンテンツのデータが携帯電話機１０に予め保存されている場合は、上記サーバ４０からスキンコンテンツのデータそのものをダウンロードする代わりに、図１３に示すようにスキンコンテンツを指定する指定情報をダウンロードするようにしてもよい。携帯電話機１０では、サーバ４０から受信した指定情報に基づいてスキンコンテンツのデータが携帯電話機内のメモリから読み出され、スキン変更に用いられる。この場合は、スキンコンテンツのデータをダウンロードする必要がないため、携帯電話機１０での通信時間の増加を抑制できるとともに、通信ネットワークの通信負荷の増加を抑制することができる。
【００４２】
以上、本実施形態によれば、携帯電話機１０で表示用ソフトウェアを起動し、メモリから読み出されたスキンコンテンツを用いることにより、メディアプレーヤのユーザインターフェース画面をディスプレイに表示することができる。このユーザインターフェース画面を表示した状態で携帯電話機１０を操作することにより、メディアコンテンツを再生して出力することができる。しかも、適宜変更が可能な汎用のファイルからなるスキンコンテンツを利用者が変更することにより、メディアコンテンツの再生の際に表示されるユーザインターフェース画面を利用者の好みに応じて変更することができる。
【００４３】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００４４】
例えば、本発明は、上記ユーザインターフェース画面を構成する画面構成ファイルがＦｌａｓｈの画像ファイル（ＳＷＦファイルやＪＰＥＧファイル）である場合に限定されることなく、適用することができる。例えば、本発明は、上記画面構成ファイルが、ＪＡＶＡ（登録商標）やＢＲＥＷ（登録商標）等のプラットフォームに依存しないオブジェクト指向のプログラミング言語で開発されたアプリケーションプログラムのファイルである場合にも適用することができる。
【００４５】
また、本発明は、携帯電話機に限定することなく、表示手段を備えたものであれば様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００４６】
また、上記移動体通信端末やサーバにおける処理・制御は、それらに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００４７】
【図１】本発明の実施形態に係る通信システムの概略構成図。
【図２】サーバのハードウェア構成のブロック図。
【図３】サーバの機能ブロック図。
【図４】サーバの他の構成例を示す機能ブロック図。
【図５】携帯電話機の外観図。
【図６】携帯電話機のハードウェア構成のブロック図。
【図７】携帯電話機のソフトウェア階層構造の説明図。
【図８】（ａ）及び（ｂ）は携帯電話機で起動するメディアプレーヤのユーザインターフェース画面の構成例を示す説明図。
【図９】携帯電話機の機能ブロック図。
【図１０】携帯電話機でメディアプレーヤのユーザインターフェース画面を変更してメディアコンテンツを再生するときのフローチャート。
【図１１】携帯電話機からサーバにアクセスしてメディアプレーヤのユーザインターフェース画面を変更するときのシーケンス図。
【図１２】携帯電話機からサーバにアクセスしてメディアプレーヤで再生するメディアコンテンツをダウンロードするときのシーケンス図。
【図１３】他の実施形態に係るメディアコンテンツのダウンロードのシーケンス図。
【符号の説明】
【００４８】
１０    携帯電話機
２０    携帯電話通信網
３０    インターネット
４０，４１    サーバ
１１０    通信手段
１１１    表示手段
１１２    記憶手段
１１３    表示制御手段
４１０    記憶手段
４１１    受信手段
４１２    送信手段
【図１】
0004749235.tif 000002
【図２】
0004749235.tif 000003
【図３】
0004749235.tif 000004
【図４】
0004749235.tif 000005
【図５】
0004749235.tif 000006
【図６】
0004749235.tif 000007
【図７】
0004749235.tif 000008
【図９】
0004749235.tif 000009
【図１０】
0004749235.tif 000010
【図１１】
0004749235.tif 000011
【図１２】
0004749235.tif 000012
【図１３】
0004749235.tif 000013
【図８】
0004749235.tif 000014